(57)【要約】      （修正有）【課題】金属ネットを張り格子目を作ることで、安定して線香を立てることができ、かつ、汚損されることが少ない線香立てを提供する。【解決手段】ツマミ５が左端についた円形枠内のネットのロストルＡ２とロストルＢ３を左端で締結し、ツマミが右端についたロストルＣ４をＡ・Ｂ間に挿入フィットし、３層ネットにして強化安定する。格子目に線香棒を差し立てて、支持され、一定期間使用後の燃え滓の灰は、ロストルＣの引出し摺動摩擦作用にて、器底に掻き落とし落下させることが出来る様にして線香立てを構成する。【選択図】図３
0003158081.tif 000002
【実用新案登録請求の範囲】
【請求項１】
ツマミを付けた金属線円形内に金属線を縦又は横に張り付け，３枚の杓子形網は，ロストルＡ，ロストルＢ，ロストルＣの名称を附し，ロストルＡとロストルＢは左端にツマミをつけ，締結一体化し，ロストルＣは右端にツマミを附し，３枚重ねると格子目となる。
ロストルＣは，ロストルＡとロストルＢの間に常時挿入，嵌込みフィットし，線香の使用灰の掻き落しの際のみ，ロストルＣを引き出し，摺動摩擦作用にて取り除く。
ロストルＡ及びロストルＢは縦編み（経線）。ロストルＣは横編み（緯線）とし，３枚重ねると格子目になる，その格子目は，線香棒を安定支持する無灰を特徴とする仏具の線香立て。
【考案の詳細な説明】
【技術分野】
【０００１】本考案は仏具の線香立てに関するものであり，従来の植物灰水晶灰の堆積による支持から，円形杓子状に，ネットを張り３層とし格子目に線香棒を差し込み安定強化支持するようにしたものである。
【背景技術】
【０００２】従来から線香立ては，常時堆積した灰によって線香を支持していた。
【考案の開示】
【考案が解決しようとする課題】
【０００３】しかし従来のような灰堆積による線香棒支持は灰層の軟弱や不安定で倒れたり座布団等周辺の焼き焦しの発生や，長期使用により灰の増加。
又，屋外の墓碑の場合は雨露による湿性凝固化で線香棒の差し立てが困難や折れがあり，かかる不都合を解決することを，課題とする。
【課題を解決するための手段】
【０００４】この課題を解決するため請求項の考案
ツマミ付きの金属線を張り付けた円形ロストルＡ・Ｂ・Ｃ３枚を重ねて格子目を作り線香棒を安定強化支持することにより倒れを防止出来る。
ロストルＡ，ロストルＢを左端にて締結し，ロストルＣは引出しと挿入の役割をし，ロストルＡ・Ｂ間にＣをフィットし，格子目に線香棒を差し立てる。
線香棒の燃焼灰は，ロストルＣの引外しの摺動摩擦により，処理  そのままスタンド部の底に貯留させる。
【考案の効果】
【０００５】本考案により従来の堆積灰の軟弱，湿性凝固化で線香棒の不安定な支持を解消する。
従来の線香棒は灰表面から２０ｍｍ以上の差し込みで香煙の不経済使用，非効果からロストル３枚支持で１０ｍｍ以下にとどめ，香煙をより以上に，有効利用することが可能で，支持用の灰が不要で，香棒の倒れの危険防止と香煙のより有効発生。全体的に美観と保持が具現出来る。
【考案を実施するための最良の形態】
【０００６】▲１▼ヒマワリ形花弁を上部に冠し。
▲２▼花芯部はツマミ付きロストル３枚を重ね３層とし線香棒を支持し。
▲３▼下部スタンドは上下伸縮弾力性性能で，ロストルＢから取り外し，取り付け得る円形スタンドとする。
上記▲１▼▲２▼▲３▼を特徴とする。
【図面の簡単な説明】
【０００７】
【図１】本考案の実施例の線香立て全体の斜視図である。
【図２】本考案の実施例の線香立ての平面図である。
【図３】本考案の実施例の全体の側面図である。
【図４】本考案の実施例のロストルＡとＢにＣを挿入した平面図である。
【図５】本考案の実施例のロストルＡとＢを重ね合わせた平面図である。
【図６】本考案の実施例のロストルＣの平面図である。
【図７】本考案の実施例のロストルＡ・Ｂ・Ｃの除灰引出しと戻しの摺動作用平面図である。
【図８】本考案の実施例のロストルＡ・Ｂ・Ｃ３枚の断面図である。
【図９】本考案の実施例のロストルＡ・Ｂ・Ｃの除灰摺動作用の断面図である。
【図１０】本考案の実施例のロストル支持の調節スタンドの側面図である。
【図１１】本考案の実施例の支持スタンドの平面図である。
【符号の説明】
【０００８】１  ひまわり形花弁
２  ロストルＡ
３  ロストルＢ
４  ロストルＣ
５  ツマミ
６  スタンド
【産業上の利用可能性】
【０００９】本考察に係わる線香立ては工業的に量産することが可能であるため産業上の利用可能性を有する。
【図１】
0003158081.tif 000003
【図２】
0003158081.tif 000004
【図３】
0003158081.tif 000005
【図４】
0003158081.tif 000006
【図５】
0003158081.tif 000007
【図６】
0003158081.tif 000008
【図７】
0003158081.tif 000009
【図８】
0003158081.tif 000010
【図９】
0003158081.tif 000011
【図１０】
0003158081.tif 000012
【図１１】
0003158081.tif 000013
【手続補正書】
【提出日】平成22年1月9日(2010.1.9)
【手続補正１】
【補正対象書類名】実用新案登録請求の範囲
【補正対象項目名】全文
【補正方法】変更
【補正の内容】
【実用新案登録請求の範囲】
【請求項１】
線香を支持する線香立てであり、
金属線円形枠内に複数の金属線を縦に平行に取り付けて設けられたロストルＡと、
ロストルＡに重ね合わせて配置され、金属線円形枠内にロストルＡの金属線と交差する横方向に平行に取り付けた複数の金属線を有し、さらに、ロストルＡに対して摺動自在に設けられたロストルＣと、を含み、
ロストルＡの縦に平行な金属線とロストルＣの横に平行な金属線とで構成される格子目で線香を安定支持するとともに、線香が燃えた後にはロストルＡに対してロストルＣを摺動させて灰を落とすことを特徴とする線香立て。
【請求項２】
ロストルＡとロストルＣは、それぞれ外側に向けて突設したツマミを有し、
ロストルＡのツマミの突出方向と、ロストルＣのツマミの突出方向と、が対向位置に設けられたことを特徴とする請求項１記載の線香立て。
【請求項３】
金属線円形枠内にロストルＡと同じ様に複数の金属線を縦に平行に取り付けて設けられたロストルＢであって、
ロストルＡとともにロストルＣを厚み方向に３枚重ね状に挟むように設けられたロストルＢを有することを特徴とする請求項１又は２記載の線香立て。
【請求項４】
３枚重ね状のロストルＡ、ロストルＣ、ロストルＢの下方に取り付け、取り外し可能に設けられた下部スタンドを有することを特徴とする請求項３記載の線香立て。
【手続補正２】
【補正対象書類名】明細書
【補正対象項目名】全文
【補正方法】変更
【補正の内容】
【考案の詳細な説明】
【技術分野】
【０００１】
本考案は仏具の線香立てに関する。
【背景技術】
【０００２】
従来から線香立ては、常時堆積した灰によって線香を支持していた。
【考案の概要】
【考案が解決しようとする課題】
【０００３】
しかし従来のような灰堆積による線香棒支持は灰層の軟弱や不安定で倒れたり座布団等周辺を焼き焦しを発生や、長期使用により灰の増加、又、屋外の墓碑の場合は雨露による湿性凝固化で線香棒の差し立てが困難や折れがあり、かかる不都合を解決することを課題とする。
【課題を解決するための手段】
【０００４】
この課題を解決するため本考案は、線香を支持する線香立てであり、金属線円形枠内に複数の金属線を縦に平行に取り付けて設けられたロストルＡと、ロストルＡに重ね合わせて配置され、金属線円形枠内にロストルＡの金属線と交差する横方向に平行に取り付けた複数の金属線を有し、さらに、ロストルＡに対して摺動自在に設けられたロストルＣと、を含み、ロストルＡの縦に平行な金属線とロストルＣの横に平行な金属線とで構成される格子目で線香を安定支持するとともに、線香が燃えた後にはロストルＡに対してロストルＣを摺動させて灰を落とすことを特徴とする線香立てから構成される。
【０００５】
また、ロストルＡとロストルＣは、それぞれ外側に向けて突設したツマミ５を有し、ロストルＡのツマミ５の突出方向と、ロストルＣのツマミ５の突出方向と、が対向位置に設けられたこととしてもよい。
【０００６】
また、金属線円形枠内にロストルＡと同じ様に複数の金属線を縦に平行に取り付けて設けられたロストルＢであって、ロストルＡとともにロストルＣを厚み方向に３枚重ね状に挟むように設けられたロストルＢを有することとしてもよい。
【０００７】
また、３枚重ね状のロストルＡ、ロストルＣ、ロストルＢの下方に取り付け、取り外し可能に設けられた下部スタンド６を有することとしてもよい。ツマミ付きの金属線を張り付けた円形ロストルＡ・Ｂ・Ｃ３枚を重ねて格子目を作り、線香棒を安定強化支持することにより倒れを防止出来る。ロストルＡ、ロストルＢ、を左端にて締結し、ロストルＣは引出しと挿入の役割をし、ロストルＡ・Ｂ間にＣをフィットし、格子目に線香棒を差し立てる。線香棒の燃焼灰は、ロストルＣの引外しの摺動摩擦により処理し、そのままスタンド部６の底に貯留させる。
【考案の効果】
【０００８】
本考案により従来の堆積灰の軟弱、湿性凝固化で線香棒の不安定な支持を解消する。従来の線香棒は灰表面から２０ｍｍ以上の差し込みで香煙の不経済使用、非効果からロストル３枚支持で１０ｍｍ以下にとどめ、香煙をより以上に、有効利用することが可能で、支持用の灰が不要で、線香棒の倒れの危険防止と香煙のより有効発生。全体的に美観と保持が具現出来る。
【図面の簡単な説明】
【０００９】
【図１】本考案の実施例の線香立て全体の斜視図である。
【図２】本考案の実施例の線香立ての平面図である。
【図３】本考案の実施例の全体の側面図である。
【図４】本考案の実施例のロストルＡとＢにＣを挿入した平面図である。
【図５】本考案の実施例のロストルＡとＢを重ね合わせた平面図である。
【図６】本考案の実施例のロストルＣの平面図である。
【図７】本考案の実施例のロストルＡ・Ｂ・Ｃの除灰引出しと戻しの摺動作用平面図である。
【図８】本考案の実施例のロストルＡ・Ｂ・Ｃ３枚の断面図である。
【図９】本考案の実施例のロストルＡ・Ｂ・Ｃの除灰摺動作用の断面図である。
【図１０】本考案の実施例のロストル支持の調節スタンドの側面図である。
【図１１】本考案の実施例の支持スタンドの平面図である。
【考案を実施するための形態】
【００１０】
本考案は仏具の線香立てに関するものである。本実施形態では、従来の植物灰水晶灰の堆積による支持から、円形杓子状にネットを張り、３層とし格子目に線香棒を差し込み安定強化支持するようにしている。
【００１１】
ツマミを付けた金属線円形内に金属線を縦又は横に張り付け、３枚の杓子形網は、ロストルＡ、ロストルＢ、ロストルＣの名称を附し、ロストルＡとロストルＢは左端にツマミをつけ、締結一体化し、ロストルＣは右端にツマミを附し、３枚重ねると格子目となる。ロストルＣは、ロストルＡとロストルＢの間に常時挿入、嵌込みフィットし、線香の使用灰の掻き落としの際のみ、ロストルＣを引き出し、摺動摩擦作用にて取り除く。ロストルＡ及びロストルＢは縦編み（経線）、ロストルＣは横編み（緯線）とし、３枚重ねると格子目になる。その格子目は、線香棒を安定支持する。
【００１２】
ヒマワリ形花弁１をロストルＡの上部に冠している。花芯部はツマミ付きロストル３枚を重ね３層とし線香棒を支持する。下部スタンド６は上下伸縮弾力性性能で、ロストルＢから取り外し、取り付け得る円形スタンドとする。
【符号の説明】
【００１３】
１  ひまわり形花弁
２  ロストルＡ
３  ロストルＢ
４  ロストルＣ
５  ツマミ
６  スタンド
【産業上の利用可能性】
【００１４】
本考案に係る線香立ては工業的に量産することが可能であるため産業上利用可能性を有する。